(57)【要約】  【課題】沈胴時に、全開状態となっているシャッタ羽根の作動面に、レンズの一部を好適に入り込ませておけるようにした沈胴式カメラのレンズ鏡胴を提供すること。  【解決手段】シャッタ羽根２５，２６とフィルタ羽根２７は、各々の回転子２２ａ，２３ａの出力ピン２２ｂ，２３ｂによって往復回転させられるようになっている。沈胴時には、第１レンズ群９を取り付けた第１レンズ枠１０の操作ピン１０ｆが、連結部材２４の被押動部２４ｄを押して、コイルばね２１の付勢力に抗してリング部材２０を時計方向へ回転させ、リング部材２０の突起部２０ｂ，２０ｃを、出力ピン２２ｂ，２３ｂの作動軌跡内に臨ませているので、大きな振動や衝撃がカメラに加わっても、各羽根２５，２６，２７が回転して、それらの作動面に入り込んでいる第１レンズ群９や第１レンズ枠１０に当接するようなことがない。【選択図】  図３
2007264356.tif 000002
【特許請求の範囲】
【請求項１】
カメラボディ内に固定されている固定筒と、被写体光路用の開口部を有していて前記固定筒内において該固定筒に一体に取り付けられている地板と、前記地板に取り付けられており前記開口部と対向するところに被写体光路用の開口部を有していて前記地板側に羽根室を構成しているカバー板と、前記羽根室に配置されたシャッタ羽根と前記地板に取り付けられたシャッタ羽根用電磁駆動手段とからなっていて該シャッタ羽根用電磁駆動手段の往復回転によって該シャッタ羽根に前記開口部の開閉作動を行わせるシャッタ装置と、撮影レンズを取り付けていて前記固定筒内において前記シャッタ装置よりも被写体側に配置されておりカメラの使用時には繰り込み位置よりも被写体側へ繰り出されるレンズ枠と、前記レンズ枠に前記地板に向けて立設された操作手段と、前記地板に取り付けられていて前記レンズ枠が繰り込み位置にあるときには前記操作手段に操作されて前記シャッタ羽根を閉じさせる方向への前記シャッタ羽根用電磁駆動手段の回転を阻止する状態にさせられ前記レンズ枠が繰り出し位置にあるときには該阻止状態から非阻止状態にさせられる仲介手段と、を備えていて、前記レンズ枠が繰り込み位置にあるときには、前記撮影レンズと前記レンズ枠の少なくとも一方の一部が前記二つの開口部の少なくとも一方に入り込んでいるようにしたことを特徴とする沈胴式カメラのレンズ鏡胴。
【請求項２】
前記地板は、前記固定筒に対して光軸に沿って移動可能に取り付けられていて、前記レンズ枠が繰り出し位置にあるときには圧縮ばねを介して前記レンズ枠との間隔が所定の間隔に維持されており、前記レンズ枠は、繰り込み位置に移動するとき、最初は前記地板と共に移動し、前記地板が停止してからは、前記圧縮ばねを圧縮させて移動することにより、前記操作手段によって前記仲介手段を操作するようにしたことを特徴とする請求項１に記載の沈胴式カメラのレンズ鏡胴。
【請求項３】
カメラボディ内に固定されている固定筒と、第１レンズ群を取り付けて前記固定筒内において最も被写体側に配置されておりカメラの使用時には繰り込み位置よりも最も大きく被写体側へ繰り出される第１レンズ枠と、第２レンズ群を取り付けて前記固定筒内に配置されておりカメラの使用時には繰り込み位置よりも被写体側へ繰り出される第２レンズ枠と、被写体光路用の開口部を有していて前記第１レンズ枠に対し前記第２レンズ枠に面して取り付けられた地板と、前記地板に取り付けられており前記開口部と対向するところに被写体光路用の開口部を有していて前記地板側に羽根室を構成しているカバー板と、前記羽根室に配置されたシャッタ羽根と前記地板に取り付けられたシャッタ羽根用電磁駆動手段とからなっていて該シャッタ羽根用電磁駆動手段の往復回転によって該シャッタ羽根に前記開口部の開閉作動を行わせるシャッタ装置と、前記第２レンズ枠に前記地板に向けて立設された操作手段と、前記地板に取り付けられていて前記二つのレンズ枠が繰り込み位置にあるときには前記操作手段に操作されて前記シャッタ羽根を閉じさせる方向への前記シャッタ羽根用電磁駆動手段の回転を阻止する状態にさせられ前記二つのレンズ枠が繰り出し状態にあるときには該阻止状態から非阻止状態にさせられる仲介手段と、を備えていて、前記二つのレンズ枠が繰り込み位置にあるときには、前記第２レンズ群と前記第２レンズ枠の少なくなくとも一方の一部が前記二つの開口部の少なくとも一方に入り込んでいるようにしたことを特徴とする沈胴式カメラのレンズ鏡胴。
【請求項４】
前記地板は、前記固定筒に対して光軸に沿って移動可能に取り付けられていて、前記第１レンズ枠が繰り出し状態にあるときには圧縮ばねを介して前記第１レンズ枠との間隔が所定の間隔に維持されており、前記第１レンズ枠は、繰り込み位置に移動するとき、最初は前記地板と共に移動し、前記地板が停止してからは、前記圧縮ばねを圧縮させて移動することにより、前記操作手段によって前記仲介手段を操作するようにし、前記二つのレンズ枠が繰り込み位置にあるときには、前記第１レンズ群と前記第１レンズ枠の少なくとも一方の一部が前記二つの開口部の少なくとも一方に入り込んでいるようにしたことを特徴とする請求項３に記載の沈胴式カメラのレンズ鏡胴。
【請求項５】
前記地板が、前記第２レンズ枠に対し前記第１レンズ枠に面して取り付けられており、前記操作手段が、前記第１レンズ枠に前記地板に向けて立設されていて、前記二つのレンズ枠が繰り込み位置にあるときには、前記第１レンズ群と前記第１レンズ枠の少なくとも一方の一部が前記二つの開口部の少なくとも一方に入り込んでいるようにしたことを特徴とする請求項３に記載の沈胴式カメラのレンズ鏡胴。
【請求項６】
前記地板は、前記固定筒に対して光軸に沿って移動可能に取り付けられていて、前記第２レンズ枠が繰り出し状態にあるときには圧縮ばねを介して前記第２レンズ枠との間隔が所定の間隔に維持されており、前記第２レンズ枠が繰り込み位置に移動するときには前記地板と共に移動し、前記第２レンズ枠が繰り込み位置に達してからは、前記地板だけが前記圧縮ばねを圧縮させて移動することにより、前記操作手段が前記仲介手段を操作するようにし、前記二つのレンズ枠が繰り込み位置にあるときには、前記第２レンズ群と前記第２レンズ枠の少なくとも一方の一部が前記二つの開口部の少なくとも一方に入り込んでいるようにしたことを特徴とする請求項５に記載の沈胴式カメラのレンズ鏡胴。
【請求項７】
前記シャッタ装置のほかに、前記羽根室に配置された光量制御羽根と前記地板に取り付けられた光量制御羽根用電磁駆動手段とからなっていて該光量制御羽根用電磁駆動手段の往復回転によって該光量制御羽根を前記開口部に進退させる光量制御装置を備えており、また、前記仲介手段が、前記操作手段の操作によって光軸を中心にして往復回転可能なリング部材を有していて、該リング部材には、前記シャッタ羽根を閉じさせる方向への前記シャッタ羽根用電磁駆動手段の回転を阻止する阻止部と、前記光量制御羽根を前記開口部へ進入させる方向への前記光量制御羽根用電磁駆動手段の回転を阻止する阻止部が形成されていることを特徴とする請求項１乃至６の何れかに記載の沈胴式カメラのレンズ鏡胴。
【請求項８】
前記リング部材には、前記各電磁駆動手段に摺接し得るカム面を有した二つの突起部が形成されていて、それらの先端部を前記阻止部としていることを特徴とする請求項７に記載の沈胴式カメラのレンズ鏡胴。
【請求項９】
前記羽根室は、二つ構成されていて、一方の羽根室には前記シャッタ羽根が配置され、他方の羽根室には前記光量制御羽根が配置されていることを特徴とする請求項７又は８に記載の沈胴式カメラのレンズ鏡胴。
【請求項１０】
前記操作手段が、前記カメラボディと一体化される部材に、被写体側に配置されている前記地板に向けて立設されていることを特徴とする請求項２乃至９のいずれかに記載の沈胴式カメラのレンズ鏡胴。
【発明の詳細な説明】
【技術分野】
【０００１】
本発明は、沈胴式カメラのレンズ鏡胴に関する。
【背景技術】
【０００２】
沈胴式カメラは、撮影する予定のないときに、レンズ鏡胴をカメラボディ内に収容できるため、携帯したり収納したりするときに便利である。ところが、そのようにするために、カメラボディの光軸方向の寸法が厚くなってしまうのは問題である。そのため、従来から、カメラボディを厚くせずに、レンズ鏡胴を如何にして好適に収容できるようにするかが大きな課題となっている。ところが、最近のように、カメラが全般的に小型化されてくると、そのように好適に収容できるようにすることがなかなか難しくなってきている。そこで、この種のカメラの場合には、通常、レンズ鏡胴内にシャッタ装置を内蔵していることに着目し、レンズ鏡胴がカメラボディ内に収容されるときには、シャッタ羽根を全開状態にしておき、レンズの一部が、シャッタ羽根の作動面にまで入り込めるようにすることが知られている。本発明は、そのように構成した沈胴式カメラのレンズ鏡胴に関するものであるが、下記の特許文献１には、ズームレンズを備えたカメラにおいて、そのように構成した場合の一例が記載されている。
【０００３】
【特許文献１】特開２００３−１２１７２０号公報
【発明の開示】
【発明が解決しようとする課題】
【０００４】
最近のシャッタ装置は、シャッタ羽根の開閉作動を電磁駆動手段によって行わせるようにしているが、沈胴式カメラの場合には、永久磁石回転子を有する小型のアクチュエータを使用するのが普通である。そして、その永久磁石回転子は、固定子コイルに電流を供給することによって往復回転させられる。ところが、撮影をしていないときには、固定子コイルに対する電流は断たれるため、回転子は、その永久磁石の磁力を利用して所定の停止位置を維持するようにしている。しかしながら、その停止状態は永久磁石の磁力だけで維持されるので、完全に維持されるというわけにはいかず、カメラの携帯時における強い振動や落下による衝撃などが加わると、回転子が停止位置から一時的に回転させられてしまうことがある。
【０００５】
ところで、特許文献１に記載されている構成は、沈胴状態において、シャッタ羽根を全開状態にしておき、レンズの一部が、シャッタ羽根の作動面にまで入り込めるようにしているので、カメラボディの厚さを薄くすることができ、極めて有効な構成といえる。しかしながら、上記したように、カメラに振動や衝撃などが加わったとき、回転子が一時的に回転すると、それによってシャッタ羽根も一時的に閉じ作動を行うことがあるため、それによって、シャッタ羽根の作動面に入り込んでいるレンズやレンズ枠に衝突し、それらに傷を付けたり、シャッタ羽根自身が破壊してしまうことがある。
【０００６】
本発明は、このような問題点を解決するためになされたものであり、その目的とするところは、沈胴時に、全開状態にあるシャッタ羽根の作動面に、レンズとレンズ枠の少なくとも一方の一部を入り込ませるようにしたとき、カメラに振動や衝撃が加わっても、シャッタ羽根が作動して、レンズやレンズ枠に衝突するのを防止できるようにした沈胴式カメラのレンズ鏡胴を提供することである。
【課題を解決するための手段】
【０００７】
上記の目的を達成するために、本発明の沈胴式カメラのレンズ鏡胴は、カメラボディ内に固定されている固定筒と、被写体光路用の開口部を有していて前記固定筒内において該固定筒に一体に取り付けられている地板と、前記地板に取り付けられており前記開口部と対向するところに被写体光路用の開口部を有していて前記地板側に羽根室を構成しているカバー板と、前記羽根室に配置されたシャッタ羽根と前記地板に取り付けられたシャッタ羽根用電磁駆動手段とからなっていて該シャッタ羽根用電磁駆動手段の往復回転によって該シャッタ羽根に前記開口部の開閉作動を行わせるシャッタ装置と、撮影レンズを取り付けていて前記固定筒内において前記シャッタ装置よりも被写体側に配置されておりカメラの使用時には繰り込み位置よりも被写体側へ繰り出されるレンズ枠と、前記レンズ枠に前記地板に向けて立設された操作手段と、前記地板に取り付けられていて前記レンズ枠が繰り込み位置にあるときには前記操作手段に操作されて前記シャッタ羽根を閉じさせる方向への前記シャッタ羽根用電磁駆動手段の回転を阻止する状態にさせられ前記レンズ枠が繰り出し位置にあるときには該阻止状態から非阻止状態にさせられる仲介手段と、を備えていて、前記レンズ枠が繰り込み位置にあるときには、前記撮影レンズと前記レンズ枠の少なくとも一方の一部が前記二つの開口部の少なくとも一方に入り込んでいるようにする。
【０００８】
その場合、前記地板は、前記固定筒に対して光軸に沿って移動可能に取り付けられていて、前記レンズ枠が繰り出し位置にあるときには圧縮ばねを介して前記レンズ枠との間隔が所定の間隔に維持されており、前記レンズ枠は、繰り込み位置に移動するとき、最初は前記地板と共に移動し、前記地板が停止してからは、前記圧縮ばねを圧縮させて移動することにより、前記操作手段によって前記仲介手段を操作するようにしてもよい。
【０００９】
また、上記の目的を達成するために、本発明の沈胴式カメラのレンズ鏡胴は、カメラボディ内に固定されている固定筒と、第１レンズ群を取り付けて前記固定筒内において最も被写体側に配置されておりカメラの使用時には繰り込み位置よりも最も大きく被写体側へ繰り出される第１レンズ枠と、第２レンズ群を取り付けて前記固定筒内に配置されておりカメラの使用時には繰り込み位置よりも被写体側へ繰り出される第２レンズ枠と、被写体光路用の開口部を有していて前記第１レンズ枠に対し前記第２レンズ枠に面して取り付けられた地板と、前記地板に取り付けられており前記開口部と対向するところに被写体光路用の開口部を有していて前記地板側に羽根室を構成しているカバー板と、前記羽根室に配置されたシャッタ羽根と前記地板に取り付けられたシャッタ羽根用電磁駆動手段とからなっていて該シャッタ羽根用電磁駆動手段の往復回転によって該シャッタ羽根に前記開口部の開閉作動を行わせるシャッタ装置と、前記第２レンズ枠に前記地板に向けて立設された操作手段と、前記地板に取り付けられていて前記二つのレンズ枠が繰り込み位置にあるときには前記操作手段に操作されて前記シャッタ羽根を閉じさせる方向への前記シャッタ羽根用電磁駆動手段の回転を阻止する状態にさせられ前記二つのレンズ枠が繰り出し状態にあるときには該阻止状態から非阻止状態にさせられる仲介手段と、を備えていて、前記二つのレンズ枠が繰り込み位置にあるときには、前記第２レンズ群と前記第２レンズ枠の少なくとも一方の一部が前記二つの開口部の少なくとも一方に入り込んでいるようにする。
【００１０】
その場合、前記地板は、前記固定筒に対して光軸に沿って移動可能に取り付けられていて、前記第１レンズ枠が繰り出し状態にあるときには圧縮ばねを介して前記第１レンズ枠との間隔が所定の間隔に維持されており、前記第１レンズ枠は、繰り込み位置に移動するとき、最初は前記地板と共に移動し、前記地板が停止してからは、前記圧縮ばねを圧縮させて移動することにより、前記操作手段によって前記仲介手段を操作するようにし、前記二つのレンズ枠が繰り込み位置にあるときには、前記第１レンズ群と前記第１レンズ枠の少なくとも一方の一部が前記二つの開口部の少なくとも一方に入り込んでいるようにしてもよい。また、前記地板が、前記第２レンズ枠に対し前記第１レンズ枠に面して取り付けられており、前記操作手段が、前記第１レンズ枠に前記地板に向けて立設されていて、前記二つのレンズ枠が繰り込み位置にあるときには、前記第１レンズ群と前記第１レンズ枠の少なくとも一方の一部が前記二つの開口部の少なくとも一方に入り込んでいるようにしてもよい。また、前記地板は、前記固定筒に対して光軸に沿って移動可能に取り付けられていて、前記第２レンズ枠が繰り出し状態にあるときには圧縮ばねを介して前記第２レンズ枠との間隔が所定の間隔に維持されており、前記第２レンズ枠が繰り込み位置に移動するときには前記地板と共に移動し、前記第２レンズ枠が繰り込み位置に達してからは、前記地板だけが前記圧縮ばねを圧縮させて移動することにより、前記操作手段が前記仲介手段を操作するようにし、前記二つのレンズ枠が繰り込み位置にあるときには、前記第２レンズ群と前記第２レンズ枠の少なくとも一方の一部が前記二つの開口部の少なくとも一方に入り込んでいるようにしてもよい。
【００１１】
更に、上記の各レンズ鏡胴においては、前記シャッタ装置のほかに、前記羽根室に配置された光量制御羽根と前記地板に取り付けられた光量制御羽根用電磁駆動手段とからなっていて該光量制御羽根用電磁駆動手段の往復回転によって該光量制御羽根を前記開口部に進退させる光量制御装置を備えており、また、前記仲介手段が、前記操作手段の操作によって光軸を中心にして往復回転可能なリング部材を有していて、該リング部材には、前記シャッタ羽根を閉じさせる方向への前記シャッタ羽根用電磁駆動手段の回転を阻止する阻止部と、前記光量制御羽根を前記開口部へ進入させる方向への前記光量制御羽根用電磁駆動手段の回転を阻止する阻止部が形成されているようにしてもよい。その場合、前記リング部材には、前記各電磁駆動手段に摺接し得るカム面を有した二つの突起部が形成されていて、それらの先端部を前記阻止部としているようにしてもよい。また、前記羽根室は、二つ構成されていて、一方の羽根室には前記シャッタ羽根が配置され、他方の羽根室には前記光量制御羽根が配置されているようにしてもよい。また、前記地板が前記固定筒内に移動可能に取り付けられている場合には、前記操作手段が、前記カメラボディと一体化される部材に、被写体側に配置されている前記地板に向けて立設されているようにしてもよい。
【発明の効果】
【００１２】
本発明によれば、沈胴時に、シャッタ羽根を全開状態にしておき、レンズの一部がシャッタ羽根の作動面にまで入り込めるようにしたレンズ鏡胴において、シャッタ装置の地板には、沈胴時においてだけ自動的にシャッタ羽根用の電磁駆動手段の回転を阻止する仲介手段を取り付けているので、カメラに振動や衝撃が加わったとしても、シャッタ羽根がレンズやレンズ枠に衝突するのを防止できるという効果がある。
【発明を実施するための最良の形態】
【００１３】
本発明の実施の形態を、図示した実施例によって説明する。尚、本発明における沈胴式カメラのレンズ鏡胴は、銀塩フィルムを使用するカメラにもデジタルカメラにも採用することが可能である。また、ズーム式のレンズ鏡胴としても、ズーム式でないレンズ鏡胴としても実施することができるものである。しかしながら、実施例としては、デジタルカメラに採用されるズーム式のレンズ鏡胴の場合で説明することにし、その他の場合のことについては、適宜、説明を加えることにする。
【実施例】
【００１４】
本実施例を、図１〜図６を用いて説明する。尚、図１は、第１レンズ群と第２レンズ群を繰り出した撮影待機状態を示す断面図である。また、図２は、図１においては概略的にしか示していない羽根駆動装置を被写体側から見て示した平面図であり、図３は、図２に示した羽根駆動装置を撮像装置側から見て示した平面図であり、図４は、撮影終了直後の状態を図３と同様に見て示した平面図である。更に、図５は、沈胴状態を図１と同様にして示した断面図であり、図６は、沈胴過程において生じる可能性のある事態を説明するために図３及び図４と同様に見て示した平面図である。
【００１５】
そこで先ず、本実施例の構成を説明する。図１に示されているように、カメラボディに一体化される本体部材１には、その被写体側の面に、光軸Ｏと平行に二つの案内軸１ａ，１ｂが立設されている（尚、このような案内軸は、実際にはもう一つ立設されているが、その図示が省略されている）。また、この本体部材１には、撮像装置２が取り付けられているが、周知のように、この撮像装置２は、ＣＣＤなどの固体撮像素子を備えていて、通常は、その被写体側に、ローパスフィルタなどのフィルタ板や、透明なカバー板を配置している。略円筒形をしている固定筒３は、本体部材１と一体化されてカメラボディ内に配置されており、その被写体側の先端には前壁３ａを形成しており、内部には内壁３ｂを形成している。そして、その前壁３ａには、略円形に形成された開口部３ｃのほかに、その開口部３ｂから径方向へ向けて形成された二つの逃げ溝３ｄ，３ｅを有している。また、その前壁３ａの被写体側の面には、上記の二つの逃げ溝３ｄ，３ｅを覆うようにして化粧板４が取り付けられており、撮像装置２側の面には、図示していないが、上記の案内軸１ａ，１ｂの先端を挿入した二つの穴が形成されている。
【００１６】
固定筒３の内壁３ｂには、ステップモータ５が取り付けられており、その出力軸５ａには歯車６が取り付けられている。リードスクリュー７は、リード角の異なる二つの雄ねじ部７ａ，７ｂを有していて、本体部材１と、固定筒３の前壁３ａに対して、回転可能に取り付けられており、本体部材１側には、上記の歯車６に噛合する歯車８を取り付けている。第１レンズ群９を取り付けている第１レンズ枠１０は、径方向へ張り出した二つの張出部１０ａ，１０ｂを有しており（尚、後述の説明からも分かるように、実際には張出部１０ｂに相当する張出部がもう一つ設けられている）、それらの張出部１０ａ，１０ｂの一部は、図１に示されているように、上記の逃げ溝３ｅ，３ｄ内に入り込めるようになっている。また、張出部１０ａの先端側は折り曲げ形状になっていて、そこに形成された雌ねじ部１０ｃが、リードスクリュー７の一方の雄ねじ部７ａに螺合している。更に、張出部１０ａから分岐したところには二つの被案内部１０ｄ，１０ｅが形成されていて、それらに設けられた孔を上記の案内軸１ａに対して摺動可能に嵌合させている。そして、この第１レンズ枠１０の張出部１０ａには、本体部材１に向けて操作ピン１０ｆが立設されている。
【００１７】
第２レンズ群１１を取り付けている第２レンズ枠１２は、径方向へ張り出した二つの張出部１２ａ，１２ｂを有しており、張出部１２ａの先端に形成された雌ねじ部１２ｃが、リードスクリュー７の他方の雄ねじ部７ｂに螺合している。また、張出部１２ｂには、二つの被案内部１２ｄ，１２ｅとストッパ部１２ｆが形成されている。そして、それらのうち、二つの被案内部１２ｄ，１２ｅは、それらに設けられた孔を上記の案内軸１ｂに対して摺動可能に嵌合させており、また、ストッパ部１２ｆは、後述の羽根駆動装置と当接し得るようになっている。第３レンズ群１３を取り付けている第３レンズ枠１４は、径方向へ張り出した張出部１４ａを有しており、その先端に設けられた孔を上記の案内軸１ａに対して摺動可能に嵌合させている。そして、第１レンズ枠１０と第２レンズ枠１２とは、ステップモータ５が回転し、歯車６，８を介してリードスクリュー７が回転させられたとき、図１において一点鎖線で示した光軸上を、移動させられるようになっているが、第３レンズ枠１４だけは、図示していないモータの回転によって光軸上を移動させられ、撮影の都度、焦点調節を行うようになっている。
【００１８】
本実施例の羽根駆動装置は、図１において概略的に示されているが、地板１５の被写体側の面に、本発明の電磁駆動手段の一例として後述する電流制御式のアクチュエータが二つ取り付けられており、撮像装置２側の面には、各々所定の間隔を空けて隔壁板１６、中間板１７、カバー板１８が順に取り付けられている。そして、地板１５と隔壁板１６の間には、本発明の仲介手段の一例として後述する構成部材が配置されており、隔壁板１６と中間板１７の間に構成された羽根室には、本発明のシャッタ羽根の一例として後述する２枚のシャッタ羽根が配置されており、中間板１７とカバー板１８の間に構成された羽根室には、本発明の光量制御羽根の一例として後述する１枚のフィルタ羽根が配置されている。そこで、次に、それらの具体的な構成を説明することにする。
【００１９】
先ず、本実施例の羽根駆動装置を被写体側から見た図２において、地板１５の略中央部には被写体光路用の開口部１５ａが光軸を中心にして円形に形成されている。上記の隔壁板１６，中間板１７，カバー板１８にも同様にして被写体光路用の開口部が形成されているが、図１の断面図からも分かるように、中間板１７とカバー板１８に形成された開口部の直径が同じであって、開口部１５ａや隔壁板１６の開口部よりも小さいため、露光開口は、中間板１７とカバー板１８に形成された開口部によって規制されることになる。そのため、図２においては、開口部１５ａの内側に、中間板１７の開口部１７ａが示されている。しかしながら、開口部１５ａや隔壁板１６の開口部が、露光開口を規制するようにしてもよいことは言うまでもない。
【００２０】
地板１５の周辺部には三つの取付部１５ｂ，１５ｃ，１５ｄが形成されている。図示していないが、それらの取付部１５ｂ，１５ｃ，１５ｄには、各々、被案内部材が取り付けられるようになっており、それらに形成された孔を、上記の案内軸１ａ，１ｂを含む三つの案内軸に摺動可能に嵌合させることによって、羽根駆動装置全体が光軸に沿って移動可能になっている。また、地板１５の被写体側の面には、二つのばね軸１５ｅ，１５ｆが立設されている。それらのばね軸１５ｅ，１５ｆは、図２においては断面でしか示されていないが、図５に示されているばね軸１５ｅの場合からも分かるように、第１レンズ枠１０の張出部１０ｂに形成されている孔に摺動可能に嵌合し、その先端にはフランジ部が形成されていると共に、張出部１０ｂと地板１５の間に圧縮ばね１９を嵌装させている。そして、その圧縮ばね１９は、図１の状態では、第１レンズ枠１０の張出部１０ｂを上記のフランジ部に当接させ、第１レンズ枠１０と羽根駆動装置との間を所定の間隔に維持しているが、後述のように、沈胴状態になるときには、第１レンズ枠１０の張出部１０ｂに押されて圧縮し、第１レンズ枠１０と羽根駆動装置との間隔が狭くなり得るようにしている。
【００２１】
また、地板１５には、円弧状の三つの長孔１５ｇ，１５ｈ，１５ｉが形成されている。そして、図示していないが、上記の隔壁板１６，中間板１７，カバー板１８にも、長孔１５ｈ，１５ｉと対応する位置に、同じ形状の長孔が形成されている。また、長孔１５ｇには、地板１５と隔壁板１６の間に配置された後述のリング部材２０に設けられている折り曲げ状のばね掛け部２０ａが貫通しており、地板１５に設けられたばね掛け部１５ｊとの間にコイルばね２１が掛けられている。
【００２２】
更に、地板１５の被写体側の面には、シャッタ羽根用の電磁駆動手段である第１アクチュエータ２２と、光量制御羽根用の電磁駆動手段であって第１アクチュエータ２２と全く同じ構成をした第２アクチュエータ２３が取り付けられているが、これらのアクチュエータ２２，２３は、例えば、特開２００５−２８７１５９号公報に記載されているような周知の構成をしている。そのため、その詳細な構成説明は省略するが、図２においては、固定子コイルへの通電方向に対応して所定の角度範囲内で回転させられる永久磁石製の回転子２２ａ，２３ａが示されている。そして、回転子２２ａ，２３ａの径方向へ延伸したところに一体的に形成された出力ピン２２ｂ，２３ｂは、上記の長孔１５ｈ，１５ｉを貫通して、隔壁板１６，中間板１７，カバー板１８に設けられた図示していない長孔に挿入されている。
【００２３】
次に、地板１５の撮像装置２側の構成を説明する。図３及び図４は、本実施例の羽根駆動装置を撮像装置２側から見たものであるが、二つの羽根室を構成している上記の隔壁板１６，中間板１７，カバー板１８の図示を省略して示したものである。そのため、二つの羽根室に配置されているシャッタ羽根とフィルタ羽根は、二点鎖線で示してある。そこで先ず、地板１５の撮像装置２側の面の主な形状と、地板１５と図示していない隔壁板１６との間の配置構成を説明する。図３において、地板１５の撮像装置２側の面には、三つの羽軸１５ｋ，１５ｍ，１５ｎと、六つのストッパ軸１５ｐ，１５ｑ，１５ｒ，１５ｓ，１５ｔ，１５ｕが立設されていて、それらは、上記の隔壁板１６，中間板１７，カバー板１８に設けられた図示していない孔に挿入されている。
【００２４】
また、地板１５の開口部１５ａの周りには、環状凹溝１５ｖが形成されていて、上記のリング部材２０は、その中に回転可能に配置されている。そして、リング部材２０には、上記したばね掛け部２０ａのほか、径方向へ突き出た二つの突起部２０ｂ，２０ｃと、二つの折曲部からなる連結部２０ｄが形成されているが、突起部２０ｂ，２０ｃは、図３から分かるように、回転子２２ａ，２３ａの出力ピン２２ｂ，２３ｂの作動軌跡内に臨み得るようになっていて、それらの先端面が、回転子２２ａ，２３ａの時計方向への回転を阻止し得るようになっている。また、突起部２０ｂ，２０ｃには、後述する理由によって、各々、二つの側面のうちの一方がカム面に形成されている。尚、本実施例の羽根駆動装置は、シャッタ装置とフィルタ装置を一つのユニットとして構成しているため、二つの突起部２０ｂ，２０ｃを設けているが、シャッタ装置だけの場合には、当然のことながら、突起部２０ｃは不要になる。
【００２５】
連結部材２４は、本実施例においては、リング部材２０と共に本発明の仲介手段を構成している。この連結部材２４は、回転軸２４ａと、二つの腕部２４ｂ，２４ｃを有していて、その回転軸２４ａを、地板１５に形成された孔１５ｗに回転可能に嵌合させ、一方の腕部２４ｂを、上記の連結部２０ｄに挟持されることによって、リング部材２０に連結されている。また、もう一方の腕部２４ｃには、カム面を有する被押動部２４ｄが設けられていて、その被押動部２４ｄを上記の操作ピン１０ｆに押されると、この連結部材２４は反時計方向へ回転させられ、上記のコイルばね２１の力に抗し、リング部材２０を時計方向へ回転させるようになっている。尚、本実施例の構成において、フィルタ装置を必要とせず、シャッタ装置だけにする場合には、上記したように、リング部材２０に突起部２０ｃを設けないようにするだけでもよいが、リング部材２０自体を備えないようにすることも可能である。その場合の一例としては、連結部材２４に時計方向へ回転させるように付勢するばねを掛け、腕部２４ｂを、回転子２２ａの出力ピンの作動軌跡内に臨ませ得るようにすることが考えられる。
【００２６】
次に、図３では図示を省略されているが、図１に示されている隔壁板１６と中間板１７の間には、シャッタ羽根の羽根室が構成されている。そして、図３においては二点鎖線で示されているように、本実施例の場合、その羽根室には２枚のシャッタ羽根２５，２６が配置されていて、シャッタ羽根２５は、羽根軸１５ｋに回転可能に取り付けられ、その長孔（符号なし）を上記の出力ピン２２ｂに嵌合させており、シャッタ羽根２６は、羽根軸１５ｍに回転可能に取り付けられ、その長孔（符号なし）を上記の出力ピン２２ｂに嵌合させている。尚、本実施例は、シャッタ羽根を２枚備えているが、シャッタ羽根を大きくすれば、１枚だけにしても構わない。また、本実施例では、シャッタ羽根の羽根室を、隔壁板１６と中間板１７の間に構成しているが、リング部材２０と連結部材２４を、地板１５の被写体側の面に備えるようにした場合には、隔壁板１６が不要になるため、シャッタ羽根の羽根室は、地板１５と中間板１７の間に構成されることになる。更に、フィルタ装置を備えず、シャッタ装置だけとする場合には、本実施例の羽根駆動装置は本発明のシャッタ装置ということになって、中間板１７が不要になるため、シャッタ羽根の羽根室は、隔壁板１６とカバー板１８との間に構成することも、地板１５とカバー板１８の間に構成することもある。
【００２７】
最後に、光量制御羽根の一例として本実施例に採用されているフィルタ羽根２７と、その配置構成を説明する。図３において二点鎖線で示されているフィルタ羽根２７は、図１に示されている中間板１７とカバー板１８との間の羽根室に配置されている。本実施例のフィルタ羽根２７は、地板１５の開口部１５ａや中間板１７の開口部１７ａよりも直径の小さな開口部２７ａを有していて、その開口部２７ａを覆うようにしてＮＤフィルタシート２７ｂを取り付けている。そして、このフィルタ羽根２７は、羽根軸１５ｎに回転可能に取り付けられ、その長孔（符号なし）を上記の出力ピン２３ｂに嵌合させている。また、ＮＤフィルタシート２７ｂは、フィルタ羽根２７のカバー板１８側の面に取り付けられているため、図示していないが、カバー板１８には、ＮＤフィルタシート２７ｂに傷が付かないようにするために、ＮＤフィルタシート２７ｂの作動領域に対応するところに逃げ孔が形成されている。
【００２８】
このようなフィルタ羽根２７の構成からも分かるように、本実施例のフィルタ羽根２７は、ＮＤフィルタシート２７ｂを取り付けない場合には、本発明における光量制御羽根の一つである絞り羽根になる。そのため、フィルタ羽根２７を、そのような絞り羽根に置き換えた場合には、本実施例の羽根駆動装置は、シャッタ装置と絞り装置とを一つのユニットに構成した羽根駆動装置になる。尚、本実施例においては、フィルタ羽根２７の開口部２７ａを、露光開口を規制している中間板１７の開口部１７ａの直径より小さくしてあるが、開口部１７ａの直径より大きくしてもよいことは言うまでもないし、作動によって傷が付かない対策を講じてあれば、フィルタ羽根２７を１枚のＮＤフィルタシートだけで製作しても構わない。また、本実施例では、地板１５側の羽根室にシャッタ羽根２５，２６を配置し、カバー板１８側の羽根室にフィルタ羽根２７を配置しているが、地板１５側の羽根室にフィルタ羽根２７を配置し、カバー板１８側の羽根室にシャッタ羽根２５，２６を配置しても構わない。
【００２９】
次に、本実施例の作動を説明する。図１は、第１レンズ群と第２レンズ群を繰り出した撮影待機状態を示したものである。そして、本実施例の場合には、この状態がテレ状態である。そのため、ワイド状態にするときには、ステップモータ５を回転させ、リードスクリュー７を介して、第１レンズ枠１０と第２レンズ枠１２を図１の右方向へ移動させるようにする。しかしながら、そのズーミング動作自体は本発明と直接関係がないので、詳しい説明を省略する。また、そのズーミングを行う範囲においては、第１レンズ枠１０の操作ピン１０ｆは、図３に示されている連結部材２４の被押動部２４ｄに接触しない。そのため、この撮影待機状態においては、コイルばね２１の付勢力により、リング部材２０は、図３に示されている状態よりも反時計方向へ回転され、連結部材２４は時計方向へ回転されて、図４に示された状態になっている。
【００３０】
それにより、その状態においては、リング部材２０の突起部２０ｂ，２０ｃは、出力ピン２２ｂ，２３ｂの作動軌跡外へ退いているが、周知のように、この種の電磁アクチュエータの場合には、強い振動や衝撃が加わらない限り、回転子２２ａ，２３ａは、図３に示された回転位置にあり、それらの出力ピン２２ｂ，２３ｂによって、シャッタ羽根２５，２６をストッパ軸１５ｐ，１５ｑに接触させ、フィルタ羽根２７をストッパ軸１５ｒに接触させている。そのため、この撮影待機状態においては、図３に示されているように開口部１５ａは全開となっており、もちろん、露光開口を規制している中間板の開口部１７ａも全開になっている。従って、撮影者は、液晶表示装置などによって、被写体像を観察しながらズーミングを行うことが可能になっている。
【００３１】
撮影に際してレリーズボタンが押されると、実際の撮影に先立って、測光装置によって被写体光を減光させて撮影するか、そのまま撮影するかが判断され、減光させて撮影すると判断された場合には、第２アクチュエータ２３の固定子コイルに順方向に電流が供給されるので、回転子２３ａは、図３の状態から時計方向へ回転させられる。このとき、上記したように、リング部材２０は、図３の状態から反時計方向へ回転させられていて、突起部２０ｃが出力ピン２３ｂの作動軌跡外へ退かされているので、回転子２３ａは、その出力ピン２３ｂによってフィルタ羽根２７を時計方向へ回転させる。そして、フィルタ羽根２７が、図４に示されているように、ストッパ軸１５ｕに当接して停止すると、撮像装置２の固体撮像素子に蓄積されていた電荷が放出され、あらたに電荷の蓄積が開始されて実際の撮影が行われる。
【００３２】
そして、所定の時間が経過すると、露光制御回路からの信号によって、第１アクチュエータ２２の固定子コイルに順方向に電流が供給され、回転子２２ａは、図３の状態から時計方向へ回転させられる。そのため、回転子２２ａは、その出力ピン２２ｂによってシャッタ羽根２５を時計方向へ回転させ、シャッタ羽根２６を反時計方向へ回転させて、開口部１５ａを閉じさせる。そのようにして、開口部１５ａが閉じた直後に、シャッタ羽根２５がストッパ軸１５ｓに当接し、シャッタ羽根２６がストッパ軸１５ｔに当接して停止した状態が、図４に示された状態である。尚、図４に示された停止状態において、シャッタ羽根２５がストッパ軸１５ｓに接触していないが、これは、シャッタ羽根２５がストッパ軸１５ｓに当接するタイミングと、シャッタ羽根２６がストッパ軸１５ｔに当接するタイミングをずらすことにとって、シャッタ羽根２５，２６を早期に静止させる周知の構成であるため、その詳細な説明は省略する。
【００３３】
このようにして、シャッタ羽根２５，２６が開口部１５ａを閉鎖すると、固体撮像素子に蓄積された電荷が撮像情報として記憶装置に転送される。そして、その転送が終了すると、二つのアクチュエータ２２，２３の固定子コイルに対して、先ほどとは異なり逆方向に電流を供給する。そのため、二つのアクチュエータ２２，２３の回転子２２ａ，２３ａは、図４の状態から共に反時計方向へ回転し、回転子２２ａはその出力ピン２２ｂによってシャッタ羽根２５，２６に開口部１５ａの開き作動を行わせ、回転子２３ａはその出力ピン２３ｂによってフィルタ羽根２７を開口部１５ａから退去させる。そして、それらの作動は、シャッタ羽根２５，２６がストッパ軸１５ｐ，１５ｑに当接し、フィルタ羽根２７がストッパ軸１５ｒに当接して停止する。その後、二つのアクチュエータ２２，２３の固定子コイルに対する通電を断った状態が、最初に説明した撮影待機状態である。
【００３４】
その後、撮影を行なう意志がなく、レンズ鏡胴を沈胴状態とする場合には、カメラの電源スイッチをオフにするが、その場合でも遅延回路が働いていて、所定の時間だけはオン状態が継続するようになっている。そのため、一方では、図示していないモータによって第３レンズ枠１４を初期位置へ移動させる。他方、ステップモータ５も、リードスクリュー７を介して、二つのレンズ枠１０，１２を、ズーミングの作動範囲を超えて、図１の右方向へ移動させる。その場合、第１レンズ枠１０と第２レンズ枠１２の移動速度が異なるため、ズーミングの作動範囲を超えると、カバー板１８がストッパ部１２ｆに当接することになり、それ以後は、圧縮ばね１９が圧縮されて第１レンズ枠１０と羽根駆動装置との間隔が狭くなってゆき、第１レンズ枠１０の操作ピン１０ｆが連結部材２４の被押動部２４ｄを押し始める。そのため、リング部材２０は、連結部材２４によって、図４に示された回転位置から、コイルバネ２１の付勢力に抗して時計方向へ回転させられる。それにより、突起部２０ｂ，２０ｃの先端面が出力ピン２２ｂ，２３ｂの作動軌跡内に臨むようになった段階では、地板１５の開口部１５ａ内に第１レンズ群９と第１レンズ枠１０が入り込んでいるようになる。そして、図示していないセンサの位置検出によって、ステップモータ５の停止した状態が沈胴状態であって、図３及び図５は、その状態を示したものである。このように、本実施例の場合には、沈胴状態において、第１レンズ群９と第１レンズ枠１０が、シャッタ羽根２５，２６やフィルタ羽根２７の作動面にまで入っているので、カメラボディの厚さを薄くすることができている。
【００３５】
この沈胴状態から、上記の撮影待機状態にするためには、カメラの電源スイッチをオンにする。それによって、ステップモータ５が回転し、歯車６，８を介してリードスクリュー７を回転させると、第１レンズ枠１０と第２レンズ枠１２は、異なる速度で図５の位置から左方へ移動されて行くので、それに伴い圧縮ばね１９が伸張いていく。そして、ズーミングの作動範囲に達する直前になると、第１レンズ枠１０の張出部１０ｂなどが、ばね軸１５ｅ，１５ｆの先端に形成されているフランジ部に当接して押し始めるようになると共に、第１レンズ枠１０の操作ピン１０ｆが、連結部材２４の被押動部２４ｄから離れるので、リング部材２０は、図３の位置から、コイルスプリング２１の付勢力によって反時計方向へ回転させられ、図４に示された回転位置になったとき、突起部２０ｃが、環状凹溝１５ｖの壁に当接して停止する。その後、二つのレンズ枠１０，１２と羽根駆動装置が図１に示された状態になると、図示していないセンサの位置検出によって、ステップモータ５の回転が停止する。その状態が、最初に説明した撮影待機状態である。
【００３６】
尚、上記の説明中、撮影時における作動説明は、被写体光を減光して撮影する場合であったが、被写体光を減光しないで撮影する場合は、上記の撮影時における作動説明中、レリーズ後の初期段階で、第２アクチュエータ２３の固定子コイルに通電してフィルタ羽根２７を回転させず、直ちに固体撮像素子の電荷を放出して撮影を開始させ、撮影の終了段階で第１アクチュエータ２２によりシャッタ羽根２５，２６を作動させることになるが、そのシャッタ羽根２５，２６の作動説明は上記の説明と重複するので省略する。
【００３７】
ところで、上記のように沈胴状態にして、カメラを携帯するとき、カメラを大きく振り回すなどして、回転子２２ａ，２３ａに大きな振動を与えてしまうことがある。また、携帯時に、何かにぶつけてしまい強い衝撃を与えてしまうことがある。そして、そのような強い振動や衝撃が、図３において回転子２２ａ，２３ａを反時計方向へ回転させるように作用するのであれば、シャッタ羽根２５，２６とフィルタ羽根２７が夫々のストッパ軸に接触しているので問題は小さいが、回転子２２ａ，２３ａを時計方向へ回転させるように作用した場合には、シャッタ羽根２５，２６とフィルタ羽根２７が、第１レンズ群９又は第１レンズ枠１０に当接し、それらに傷を付けたり、羽根自体が破壊してしまう可能性がある。ところが、本実施例の場合には、回転子２２ａ，２３ａにそのような力が作用したとき、それらの出力ピン２２ｂ，２３ｂが、リング部材２０の突起部２０ｂ，２０ｃの先端に形成された阻止面に当接し、その回転を阻止されるので、そのような事態を起こすことがない。
【００３８】
また、レンズ鏡胴の製作時において、ステップモータ５を回転させて、沈胴作動をテストする際、間違って、シャッタ羽根２５，２６を閉じ状態にしておいたままで行ったり、フィルタ羽根２７を露光開口に臨ませた状態にしておいたままで行ったとしても、本実施例の場合には、リング部材２０に設けられた突起部２０ｂ，２０ｃの時計方向へ回転する側の側面がカム形状に形成されているので、第１レンズ群９や第１レンズ枠１０がシャッタ羽根２５，２６の作動面に入り込む前に、それらのカム面が、出力ピン２２ｂ，２３ｂを押し、図３に示す状態にさせるようになっている。そのため、アクチュエータ２２，２３の固定子コイルを制御回路に接続しない状態で、上記のテストを行うことが可能になっている。しかも、その際には、図６から分かるように、突起部２０ｂのカム面が出力ピン２２ｂを押し始めるよりも早く、突起部２０ｃのカム面が出力ピン２３ｂを押し始めるようになっているので、同時に押し始めるようにした場合より、ステップモータ５に大きな負荷を与えないようになっている。
【００３９】
また、上記の作動説明は、本実施例の構成をしたレンズ鏡胴が、デジタルカメラに採用された場合で説明した。しかしながら、このような構成のレンズ鏡胴は、銀塩フィルムカメラに採用することも可能である。そして、そうする場合の一例としては、図示していない周知のバリア羽根が固定筒３の開口部３ｃを閉じた直後に、リング部材２０の突起部２０ｂのカム面が出力ピン２２ｂを押すようにし、シャッタ羽根２５，２６が開口部１５ａを全開にして沈胴状態となったときには、第１レンズ枠１０の外周部の一部が地板１５の開口部１５ａを塞ぐようにすればよいことになる。
【００４０】
尚、上記の実施例においては、沈胴状態になったとき、シャッタ羽根２５，２６の作動面に、第１レンズ群９と第１レンズ枠１０の両方の一部が入り込む場合で説明したが、本発明は、いずれか一方の場合でもよいし、第１レンズ群９と第１レンズ枠１０の方ではなく、第２レンズ群１１と第２レンズ枠１２のうち、少なくとも一方の一部が入り込むようにしてもよい。また、上記の実施例においては、第１レンズ枠１０に設けられた操作ピン１０ｆが連結部材２４の被押動部２４ｄを押すように構成されているが、上記の説明からも分かるように、そのような操作ピンを第２レンズ枠１２に設けるようにしても構わない。また、上記の実施例においては、ズーミングを行うとき、羽根駆動装置は第１レンズ枠１０と一体的に作動するようにしているが、本発明は、そのような構成に限定されず、第２レンズ枠と一体的に作動するようにしても差し支えない。但し、そのように構成する場合には、沈胴状態になっても羽根駆動装置と第２レンズ枠１２の間隔が変わらないようにして、実施例のように第１レンズ枠１０に操作ピン１０ｆを設ける場合と、実施例の圧縮ばね１９に相当する圧縮ばねを、羽根駆動装置と第２レンズ枠１２の間に配置して、沈胴状態のときは羽根駆動装置と第２レンズ枠１２の間隔が小さくなるようにし、実施例のように第１レンズ枠１０に操作ピン１０ｆを設けるるようにするか、それに相当する操作ピンを第２レンズ枠１２に設けるようにすることになる。
【００４１】
更に、上記の実施例は、ズーム式のレンズ鏡胴として構成したものであるが、本発明は、例えば、パンフォーカスのようなズーム式でないレンズ鏡胴として構成することもできる。そして、そのように構成する場合には、実施例における第２レンズ群１１と共に第２レンズ枠１２が不要になるが、羽根駆動装置は、実施例のように固定筒３内で移動可能にする場合と、固定筒に一体的に取り付けるようにする場合とがある。また、このようなズーム式でないレンズ鏡胴の場合でも、上記の実施例のようなズーム式のレンズ鏡胴の場合でも、地板１５を固定筒３内で移動可能とした場合には、操作ピン１０ｆに相当する操作ピンを、実施例における本体部材１のようなカメラボディと一体化される部材に対し、地板１５に向けて立設するようにしても差し支えない。
【図面の簡単な説明】
【００４２】
【図１】第１レンズ群と第２レンズ群を繰り出した撮影待機状態を示す実施例の断面図である。
【図２】図１に概略的に示されている羽根駆動装置を被写体側から見て示した平面図である。
【図３】図２に示した羽根駆動装置を撮像装置側から見て示した平面図である。
【図４】撮影終了直後の状態を図３と同様に見て示した平面図である。
【図５】沈胴状態を図１と同様にして示した断面図である。
【図６】沈胴過程において生じる可能性のある事態を説明するために図３及び図４と同様に見て示した平面図である。
【符号の説明】
【００４３】
１                              本体部材
１ａ，１ｂ                      案内軸
２                              撮像装置
３                              固定筒
３ａ                            前壁
３ｂ                            内壁
３ｃ，１５ａ，１７ａ，２７ａ    開口部
３ｄ，３ｅ                      逃げ溝
４                              化粧板
５                              ステップモータ
５ａ                            出力軸
６，８                          歯車
７                              リードスクリュー
７ａ，７ｂ                      雄ねじ部
９                              第１レンズ群
１０                            第１レンズ枠
１０ａ，１０ｂ，１２ａ，１２ｂ，１４ａ  張出部
１０ｃ，１２ｃ                  雌ねじ部
１０ｄ，１０ｅ，１２ｄ，１２ｅ  被案内部
１０ｆ                          操作ピン
１１                            第２レンズ群
１２                            第２レンズ枠
１２ｆ                          ストッパ部
１３                            第３レンズ群
１４                            第３レンズ枠
１５                            地板
１５ａ，１７ａ                  開口部
１５ｂ，１５ｃ，１５ｄ          取付部
１５ｅ，１５ｆ                  ばね軸
１５ｇ，１５ｈ，１５ｉ          長孔
１５ｊ，２０ａ                  ばね掛け部
１５ｋ，１５ｍ，１５ｎ          羽根軸
１５ｐ，１５ｑ，１５ｒ，１５ｓ，１５ｔ，１５ｕ  ストッパ軸
１５ｖ                          環状凹溝
１５ｗ                          孔
１６                            隔壁板
１７                            中間板
１８                            カバー板
１９                            圧縮ばね
２０                            リング部材
２０ｂ，２０ｃ                  突出部
２０ｄ                          連結部
２１                            コイルばね
２２                            第１アクチュエータ
２２ａ，２３ａ                  回転子
２２ｂ，２３ｂ                  出力ピン
２３                            第２アクチュエータ
２４                            連結部材
２４ａ                          回転軸
２４ｂ，２４ｃ                  腕部
２４ｄ                          被押動部
２５，２６                      シャッタ羽根
２７                            フィルタ羽根
２７ｂ                          ＮＤフィルタシート
【図１】
2007264356.tif 000003
【図２】
2007264356.tif 000004
【図３】
2007264356.tif 000005
【図４】
2007264356.tif 000006
【図５】
2007264356.tif 000007
【図６】
2007264356.tif 000008